(57)【要約】【課題】  プリント基板の製造工程を利用して製造し、該二次電池を多数個の二次電池のモジュール化することで直列接続、或いは、並列接続することを容易に実現することにある。【解決手段】プリント基板の製造工程を利用して製造され、且つ、該二次電池には少なくとも二次電池の正電極と電気接続する第一ビアホール、及び、二次電池の負電極に電気接続する第二ビアホールを包含し、且つ、二次電池の第一ビアホールと第二ビアホールがそれぞれもう一つ別の二次電池の第一ビアホールと第二ビアホールに重畳して電気接続することで、該二次電池が直列接続、或いは、並列接続の電気接続を形成させる。【選択図】  図4
2006004922.tif 000002
【特許請求の範囲】
【請求項１】
二次電池において、該二次電池はプリント基板の製造工程を利用して製造形成され、且つ、前記二次電池には少なくとも1つの第一ビアホール、及び、1つの第二ビアホールを包含し、前記第一ビアホールは前記二次電池の正電極に電気接続、及び、前記第二ビアホールは前記二次電池の負電極に電気接続し、且つ、前記二次電池の前記第一ビアホールと前記第二ビアホールは、それぞれ電気的にもう一つ別の二次電池の第一ビアホールと第二ビアホールに重畳して電気接続することで、前記二次電池が直列接続、或いは、並列接続の電気接続を形成させることを特徴とする、二次電池。
【請求項２】
請求項1記載の二次電池において、前記二次電池には、
プリント基板材質の上側カバー体、
プリント基板材質の上部収納槽、
二次電池のコアコンポーネント、
プリント基板材質の下部収納槽、
プリント基板材質の下側カバー体を包含し、
前記構成部材が上から下の順番とおり積層で重畳することで1個の密接構造を形成することを特徴とする、二次電池。
【請求項３】
請求項2記載の二次電池において、前記第一ビアホールが、前記上側カバー体、前記上部収納槽、前記下部収納槽、及び、前記下側カバー体を貫通していることを特徴とする、二次電池。
【請求項４】
請求項2記載の二次電池において、前記第二ビアホールが、前記上側カバー体、前記上部収納槽、前記下部収納槽、及び、前記下側カバー体を貫通していることを特徴とする、二次電池。
【請求項５】
請求項2記載の二次電池において、前記第一ビアホールが、前記上側カバー体、前記上部収納槽、前記下部収納槽、及び、前記下側カバー体などの周囲壁の端部に沿って貫通し、外部に露出して設置されていることを特徴とする、二次電池。
【請求項６】
請求項2記載の二次電池において、前記第二ビアホールが、前記上側カバー体、前記上部収納槽、前記下部収納槽、及び、前記下側カバー体などの周囲壁の端部に沿って貫通し、外部に露出して設置されていることを特徴とする、二次電池。
【請求項７】
アレイタイプの二次電池において、
複数個の二次電池はプリント基板の製造工程を利用して製造形成され、且つ、前記二次電池には少なくとも1つの第一ビアホール、及び、1つの第二ビアホールを包含し、前記第一ビアホールは前記二次電池の正電極に電気接続、及び、前記第二ビアホールは前記二次電池の負電極に電気接続し、
1つのプリント基板には直列接続/並列接続の導線回路を具え、前記直列接続/並列接続の導線回路が前記プリント基板に形成され、及び、前記直列接続/並列接続の導線回路は前記二次電池の第一ビアホール、及び、第二ビアホールをその上に溶接するために用い、これを介して前記二次電池を直列接続、或いは、並列接続の電気接続の形成を特徴とする、二次電池。
【請求項８】
多層アレイタイプの二次電池において、複数個のアレイタイプの二次電池は重畳構造を呈し、前記アレイタイプの二次電池には、
複数個の二次電池は、プリント基板の製造工程を利用して製造形成され、且つ、前記二次電池には少なくとも1つの第一ビアホール、及び、1つの第二ビアホールを包含し、前記第一ビアホールは前記二次電池の正電極に電気接続、及び、前記第二ビアホールは前記二次電池の負電極に電気接続し、
1つのプリント基板には、直列接続/並列接続の導線回路を具え、前記直列接続/並列接続の導線回路が前記プリント基板に形成され、及び、前記直列接続/並列接続の導線回路は前記二次電池の第一ビアホール、及び、第二ビアホールをその上に溶接され、
この中の各アレイタイプの二次電池のプリント基板は、隣接のアレイタイプの二次電池のプリント基板とそれぞれ分かれて電気接続され、これにより、前記アレイタイプの二次電池が直列接続、或いは、並列接続の電気接続を形成することを特徴とする、二次電池。
【発明の詳細な説明】
【技術分野】
【０００１】
本発明は二次電池に係り、特に、プリント基板の製造工程を利用して製造する二次電池であり、多数個の二次電池をモジュール化することで一緒に直列接続、或いは、並列接続することを容易に実現できることにある。
【背景技術】
【０００２】
周知の二次電池がリチウムイオン充電電池、ニッケル水素充電電池などの場合、金属包装カバー体のものを用い、また、正電極、負電極、隔離膜、電化物質などといった充電池を組成する材料をその金属カバー体で覆っている。
【発明の開示】
【発明が解決しようとする課題】
【０００３】
しかし、周知の電池は金属包装カバー体の制限を受けるため、多数個の周知の二次電池を一緒に直接続列、或いは、並列接続する時、常に導線を各周知の二次電池の正電極と負電極に溶接し、最終的にプラスチック材質の包装カバー体のような追加のカバー体を利用することで、一緒に直列接続、或いは、並列接続された各周知の二次電池を一緒に包装していた。
本発明の発明者は多数個の周知の二次電池を一緒に直列接続、或いは、並列接続することについて、明らかにモジュール化するメカニズム設計が欠乏していたため、改良に努めて各二次電池をモジュール化して一緒に直列接続、或いは並列接続させることを容易に実現する発明を行った。
本発明の主要な目的は二次電池を提供することにあり、プリント基板の製造工程を利用して製造し、該二次電池を多数個の二次電池のモジュール化することで直列接続、或いは、並列接続することを容易に実現することにある。
【０００４】
本発明の第二の目的はアレイタイプの二次電池を提供することによって、多数個の二次電池を直列接続、或いは、並列接続することで、薄片状の二次電池を容易に実現することにある。
【０００５】
本発明の第三の目的は多層アレイタイプの二次電池を提供することによって、多数枚のアレイタイプの二次電池を直列接続、或いは、並列接続することを容易に実現することによって比較的大きい力率を持った供給能力を具えた二次電池の形態を容易に実現できることにある。
【課題を解決するための手段】
【０００６】
本発明の上述の目的を達成するため、プリント基板の製造工程を利用して製造され、且つ、該二次電池には少なくとも二次電池の正電極と電気接続する第一ビアホール、及び、二次電池の負電極に電気接続する第二ビアホールを包含し、且つ、二次電池の第一ビアホールと第二ビアホールがそれぞれもう一つ別の二次電池の第一ビアホールと第二ビアホールに重畳して電気接続することで、該二次電池が直列接続、或いは、並列接続の電気接続を形成させることにある。
【０００７】
同時に、本発明は発明した二次電池を利用して組み立てることにより、アレイタイプの二次電池、及び、多層アレイタイプの二次電池を提供することにある。
【発明を実施するための最良の形態】
【０００８】
該項目を熟知する技術者に本発明の目的、特徴、及び、機能を理解してもらうため、下記の具体的な実施例を介すると共に付属の図式を組み合わせ、本発明に対する詳細な説明を以下のとおり行うものである。
第１図は本発明である二次電池の具体的な実施例を示した構造断面図、及び、第２図は本発明である二次電池の別の具体的な実施例を示した構造断面図である。本発明である二次電池10は主に上側カバー体101、上部収納槽105、二次電池のコアコンポーネント109、下部収納槽107、下側カバー体103を包含し、これら主要な構成部材が上から下へと順番に1つの密接な構造を積層で重畳している。二次電池のコアコンポーネント109を除き、本発明のその他の構成部材は均しくプリント基板の材質で製造形成され、FR4といったプリント基板の材質を用いる。本発明である二次電池10を組み立てる時、上部収納槽105と下部収納槽107は電解物質111を収納することに用い、二次電池のコアコンポーネント109を上部収納槽105と下部収納槽107の間にラミネート、粘着などで重ね合わせる手段を利用することで二次電池のコアコンポーネント109、上部収納槽105と下部収納槽107を重ね合わせることができ、その後更に上側カバー体101で上部収納槽105を被覆且つ密封し、下側カバー体103で下部収納槽107を被覆且つ密封し、ラミネート、粘着などの重ね合わせる手段を利用して重ね合わせを完成する。上述の電解物質111の選択は該二次電池のコアコンポーネント109が何の種類を用いるかに基づいて決定されるものとし、有機溶剤、或いは、非水系溶剤で構成された電解質、或いは、電解液の採用、或いは、噴射、塗布の作業方法の類である電解材料を用いることで電解質、或いは電解液を代替することができる。
図1内において、第一ビアホール113がプリント基板の材質内を貫通し、また、二次電池のコアコンポーネント109の正電極と電気接続する。同様に、第二ビアホール115がプリント基板の材質内を貫通し、また、二次電池のコアコンポーネント109の負電極と電気接続する。図2内において、第一ビアホール113はプリント基板材質の周囲壁の端部に設置され、且つ、外部に露出し、また、二次電池のコアコンポーネント109の正電極と電気接続する。同様に、第二ビアホール115はプリント基板材質の周囲壁の端部に設置され、且つ、外部に露出し、また、二次電池のコアコンポーネント109の負電極と電気接続する。
図3は本発明である二次電池が重畳する前を示した構造表示図、及び図4は本発明である二次電池が重畳した後を示した構造表示図である。重畳組立を実施する時、各二次電池10の全第一ビアホール113を揃え、及び、全第二ビアホール115を揃えるように各二次電池10の第一ビアホール113、及び、第二ビアホール115を互いに位置合わせすることで、全二次電池10が並列接続を形成する。また、二次電池10の第一ビアホール113を隣接の二次電池10の第二ビアホール115と互いに位置合わせすることで、全二次電池10が直列接続を形成する。次に、更に位置合わせしたビアホール113、115に、銀フィルムのような導電材料を注入することで、該二次電池10が直列接続、或いは、並列接続の電気接続を形成する。
図5は本発明であるアレイタイプの二次電池を示した構造図である。本発明であるアレイタイプの二次電池20は主に複数個の二次電池10、及び、プリント基板201を包含する。プリント基板201上において直列接続/並列接続された導線回路203が形成され、この直列接続/並列接続された導線回路203を利用して、プリント基板201上に溶接した全二次電池10が直列接続、或いは、並列接続する。更に、プリント基板201の総正電極端20aと総負電極端20bは、電子装置に対して電力を供給するための対外的な電子装置の接続に用いる。
図6は本発明である多層アレイタイプの二次電池を示した構造図である。本発明である多層アレイタイプの二次電池30には主に複数個のアレイタイプの二次電池20を包含し、多層アレイタイプの二次電池30は各アレイタイプの二次電池20を上から下に各片のアレイタイプの二次電池20を一緒に重畳することで、外観全体上において１個の多層アレイタイプの二次電池30を形成させた。各枚のアレイタイプの二次電池20の総正電極端20aと総負電極端20bは、隣接の二層のアレイタイプ二次電池20の総正電極端20aと総負電極端20bとそれぞれ直列接続、或いは、並列接続によって電気接続し、同様に、ビアホール手段を用いて各枚のアレイタイプの二次電池20の総正電極端20aと総負電極端20bが互いに導通する。
本発明である二次電池10、アレイタイプの二次電池20、及び、多層アレイタイプの二次電池30は、以下の効果を達することができる。
【０００９】
本発明である二次電池10は、ビアホール113、115の設置を具え、容易に多数個の二次電池10を重畳密接し、且つ、電気接続上におい直列接続、或いは、並列接続し、外観上においても単体の二次電池を形成することができる。
【００１０】
本発明であるアレイタイプの二次電池20は、プリント基板201、及び、その上で形成される直列接続/並列接続の導線回路203を介して、外観上において薄片状の二次電池を形成する。
【００１１】
本発明である多層アレイタイプの二次電池30は、各枚のアレイタイプの二次電池20を介して重畳密接し、且つ、電気接続上において直列接続、或いは、並列接続することで、比較的大きい力率を持った供給能力を具えた二次電池の形態を容易に実現できることにある。
【００１２】
本発明における1つの具体的な実施例を上述に記載したが、本発明の実施範囲が制限されるものではなく、この技術を熟知している任意のものが、本発明の精神と範囲内に基づいた各種の改変と修飾を行うことについて、その改変と修飾もまた本発明の請求範囲に属するものとし、本発明の保護範囲は特許請求範囲で定めたものを基準とする。
【図面の簡単な説明】
【００１３】
【図１】本発明である二次電池の具体的な実施例を示した構造断面図である。
【図２】本発明である二次電池の別の具体的な実施例を示した構造断面図である。
【図３】本発明である二次電池を重畳する前を示した構造表示図である。
【図４】本発明である二次電池を重畳した後を示した構造表示図である。
【図５】本発明であるアレイタイプの二次電池を示した構造図である。
【図６】本発明である多層アレイタイプの二次電池を示した構造図である。
【符号の説明】
【００１４】
10   二次電池
20   アレイタイプの二次電池
20a  総正電極端
20b  総負電極端
30   多層アレイタイプの二次電池
101  上側カバー体
103  下側カバー体
105  上部収納槽
107  下部収納槽
109  二次電池のコアコンポーネント
111  電解物質
113  第一ビアホール
115  第二ビアホール
201  プリント基板
203  直列接続/並列接続の導線回路
【図１】
2006004922.tif 000003
【図２】
2006004922.tif 000004
【図３】
2006004922.tif 000005
【図４】
2006004922.tif 000006
【図５】
2006004922.tif 000007
【図６】
2006004922.tif 000008